(57)【要約】      （修正有）【課題】既存のランプホルダーを使用でき、且つより広い領域に利用されることができる発光ダイオードランプを提供する。【解決手段】発光ダイオードランプ１０１は、ソーサーの形状であるランプ本体２０及び前記ランプ本体２０に着脱自在に接続される接続部３０を備える。ランプ本体２０は、ハウジングと、カバーと、基盤と、基盤に設置される発光ダイオードと、駆動装置と、固定装置と、を備える。ハウジング、基盤及び駆動装置は、固定装置によって緊密に一体に装着され、カバーは、透明の殻体であり、前記発光ダイオードは、カバーに対面して特定の形状を呈するように配列され、且つカバーを透過して視認され、駆動装置は、接続部３０及び基盤にそれぞれ電気的に接続され、発光ダイオードを駆動して発光する。【選択図】図１
0003182116.tif 000002
【実用新案登録請求の範囲】
【請求項１】
ソーサーの形状であるランプ本体及び前記ランプ本体に着脱自在に接続される接続部を備え、
前記ランプ本体は、ハウジングと、カバーと、基盤と、前記基盤に設置される発光ダイオードと、駆動装置と、固定装置と、を備え、
前記ハウジング、前記基盤及び前記駆動装置は、前記固定装置によって緊密に一体に装着され、
前記駆動装置は、前記接続部及び前記基盤にそれぞれ電気的に接続され、前記発光ダイオードを駆動して発光し、
前記固定装置は、階段状であり、固定部及び第一取付部を備え、
前記基盤は、前記第一取付部の外側表面に装着され、
前記発光ダイオードは、前記固定装置の側面に対面し、内表面が反射面である前記ハウジングに向けて光線を出射させ、
前記ハウジングの内表面に入射された光線は、前記ハウジングを経て前記カバーに向けて反射され、前記カバーを透過した後に外部に出射されることを特徴とする発光ダイオードランプ。
【請求項２】
前記固定部と前記第一取付部とは、同心の円環であり、
前記固定部と前記第一取付部とは一体的に形成されることを特徴とする請求項１に記載の発光ダイオードランプ。
【請求項３】
第二取付部及び前記第一取付部の円周方向に沿って等間隔に且つ径方向外側に向けて突設される複数のリブをさらに備え、
前記第二取付部は、前記複数のリブによって前記第一取付部に接続されることを特徴とする請求項１又は２に記載の発光ダイオードランプ。
【請求項４】
前記接続部と前記ランプ本体とは、ネジによって固定されて一体となる又はネジ山によって接続されることを特徴とする請求項１から３のいずれか一項に記載の発光ダイオードランプ。
【請求項５】
前記接続部は、外ネジ山を有する口金及び前記口金の頂端に設置される半田を備え、
前記半田と前記口金は、それぞれ発光ダイオードランプの陽電極、陰電極とすることを特徴とする請求項１から４のいずれか一項に記載の発光ダイオードランプ。
【請求項６】
前記ハウジングは、高反射率の材料からなる又はその内表面には高反射率層が塗布されていることを特徴とする請求項１から５のいずれか一項に記載の発光ダイオードランプ。
【考案の詳細な説明】
【技術分野】
【０００１】
本考案は、ランプに関するものであり、特に発光ダイオードランプに関するものである。
【背景技術】
【０００２】
現在、発光ダイオードは、新しい光源として照明装置に広く利用されている。既存の白熱ランプの電球を発光ダイオードに置き換えれば、大幅な省エネルギー化を実現することができる。しかし、従来の白熱ランプのランプホルダーは、長年にわたり使用されている。電球を発光ダイオードに置き換えるにより全部のランプホルダーを放棄すれば、不要な出費をもたらす。いかに既存の白熱ランプのランプホルダーに発光ダイオードを装着するかが、照明装置を設計する際の主要課題である。また、発光ダイオードを寸法が異なる各種のランプホルダーに使用する場合に、いかに小型化して、気分照明、交通信号機、警告灯などのより広い領域に利用されるかが、メーカーが更に解決しようとする課題である。
【考案の概要】
【考案が解決しようとする課題】
【０００３】
本考案の目的は、前記課題を解決し、既存のランプホルダーを使用でき、且つより広い領域に利用されることができる発光ダイオードランプを提供することである。
【課題を解決するための手段】
【０００４】
本考案に係る発光ダイオードランプは、ソーサーの形状であるランプ本体及び前記ランプ本体に着脱自在に接続される接続部を備える。前記ランプ本体は、ハウジングと、カバーと、基盤と、前記基盤に設置される発光ダイオードと、駆動装置と、固定装置と、を備える。前記ハウジング、前記基盤及び前記駆動装置は、前記固定装置によって緊密に一体に装着され、前記カバーは、透明の殻体であり、前記発光ダイオードは、前記カバーに対面して特定の形状を呈するように配列され、且つ前記カバーを透過して視認され、前記駆動装置は、前記接続部及び前記基盤にそれぞれ電気的に接続され、前記発光ダイオードを駆動して発光させる。
【考案の効果】
【０００５】
本考案の発光ダイオードランプは、着脱自在な接続部を備えるため、ランプ本体を異なる接続部に装着することによって屋内ランプ、装飾ランプなどのような領域に広く応用され、既存のランプホルダー及び電力供給装置を換える必要がない。また、接続部が傷ついても、接続部を換えるだけで、発光ダイオードランプを換える必要がないため、不要な出費を減少させる。さらに、透明のカバーを採用するため、クリスタルクリアの発光ダイオードが外部から視認され、カラフルな効果を生じる。これにより、気分照明の装飾に対して需要を満たし且つ人々の視覚が豊かになる。
【図面の簡単な説明】
【０００６】
【図１】本考案の第一実施形態に係る発光ダイオードランプを示す図である。
【図２】図１に示す本考案に係る発光ダイオードランプの部分断面図である。
【図３】図２に示す本考案に係る発光ダイオードランプの固定装置を示す図である。
【図４】図２に示す本考案に係る発光ダイオードランプの１つの発光面を示す図である。
【図５】本考案の第二実施形態に係る発光ダイオードランプの部分断面図である。
【図６】本考案の第三実施形態に係る発光ダイオードランプの部分断面図である。
【図７】図６に示す本考案に係る発光ダイオードランプの固定装置を示す図である。
【図８】本考案の第四実施形態に係る発光ダイオードランプの１つの発光面を示す図である。
【図９】図８に示す本考案に係る発光ダイオードランプの部分断面図である。
【図１０】図８に示す本考案に係る発光ダイオードランプの他の部分断面図である。
【図１１】本考案の第五実施形態に係る発光ダイオードランプを示す図である。
【考案を実施するための形態】
【０００７】
以下、図面を参照して、本考案の実施形態について説明する。
【０００８】
図１を参照すると、本考案の実施形態に係る発光ダイオードランプ１０１は、ソーサーの形状であるランプ本体２０及び該ランプ本体２０に着脱自在に接続される接続部３０を備える。本実施形態において、該接続部３０は、外ネジ山を有する口金３０１及び該口金３０１の頂端に設置される半田３０２を備える。半田３０２と口金３０１は、それぞれ発光ダイオードランプ１０１の陽電極、陰電極を形成する。発光ダイオードランプ１０１は、接続部３０によって照明装置のランプホルダー（図示せず）に装着された後、外界の高電圧交流電源を発光ダイオードランプ１０１に入力する。本実施形態において、口金３０１のタイプは、Ｅ２７又はＥ２６である。
【０００９】
図２を参照すると、接続部３０とランプ本体２０とは、ネジ４１で固定されることによって一体化されている。接続部３０とランプ本体２０とは、ネジ山によって直接的に接続される。ランプ本体２０は、ハウジング２１と、カバー２２と、基盤２３１と、基盤２３１に設置される発光ダイオード２４１と、駆動装置２５と、固定装置２６と、を備える。ハウジング２１、基盤２３１及び駆動装置２５は、固定装置２６によって緊密に一体的に装着される。カバー２２とハウジング２１とは、螺合する又は係合することによって固定される。
【００１０】
図３を参照すると、固定装置２６は、環形の固定部２６１及び固定部２６１の円周方向に沿って等間隔に且つ径方向外側に向けて突設される複数の爪部２６２を備える。固定部２６１には、複数の取付穴が設けられている。複数のネジ４２は固定部２６１に位置する複数の取付穴に通してハウジング２１と駆動装置２５とを固定装置２６に固定させる。複数の爪部２６２は、複数の取付穴が設けられている。複数のネジ４３は爪部２６２に位置する複数の取付穴に通して基盤２３１を固定装置２６に固定する。
【００１１】
駆動装置２５の電圧入力端（図示せず）は、接続部３０に電気的に接続され、電圧出力端（図示せず）は、基盤２３１に電気的に接続される。駆動装置２５は、外界の高電圧交流電源を発光ダイオード２４１に使用する低電圧直流電源に変換した後に、発光ダイオード２４１を駆動して発光させる。
【００１２】
発光ダイオード２４１は、カバー２２に対面するように配列される。カバー２２は、透明の殻体である。発光ダイオード２４１はカラーの発光ダイオードから選択され、花や動物や星などのようなパターンに配列され、且つカバー２２を透過して視認できる。発光ダイオードランプ１０１が通電すると、駆動装置２５が発光ダイオード２４１を駆動させることによって出射した光は、カバー２２を透過し、発光ダイオード２４１が発光した色及び配列形状は、外部から視認されて、気分照明の装飾に対する需要を満たし且つ人々の視覚を豊かにする。
【００１３】
他の実施形態において、発光ダイオード２４１は、多種の異なるパターンに配列されることができ、使用者が駆動装置２５によって一種を選択して対応するパターンを表示するか又は複数の発光ダイオード２４１を交互に起動して、多種のパターンを表示させることによって、異なる時間及び／又は異なる場所に基づいて光の色に対する需要を満たす。
【００１４】
図５は、本考案の第二実施形態に係る発光ダイオードランプ１０２の部分断面図である。第二実施形態が図２に示した第一実施形態と異なる部分は、発光ダイオードランプ１０２は、ハウジング２１に対面するように配列される発光ダイオード２４２を備える。ハウジング２１は、透明又は半透明の殻体であり、発光ダイオードランプ１０２を両方向に発光させ、発光ダイオードランプ１０２の頂端の暗い部分が発生することを排除することができる。
【００１５】
図６は、本考案の第三実施形態に係る発光ダイオードランプの部分断面図である。第三実施形態が図２及び図３に示した第二実施形態と異なる部分は、固定装置２６’は階段状であり、固定部２６１’と、第一取付部２６３’と、第二取付部２６４’と、を備える。基盤２３２、２３３は、第一取付部２６３’及び第二取付部２６４’の外側表面に各別に装着される。これにより、基盤２３２、２３３に装着された発光ダイオード２４３は、固定装置２６’の側面に対面し、ハウジング２１に向けて光線２４３１を出射させる。ハウジング２１の内表面は反射面として光線２４３１を反射することに用いられる。本実施形態において、ハウジング２１は、高反射率の材料からなる又はその内表面には高反射率層が塗布されている。ハウジング２１の内表面に入射された光線２４３１は、ハウジング２１を経てカバー２２に反射され、且つカバー２２を透過した後外部に出射される。
【００１６】
図７を参照すると、第三実施形態において、固定部２６１’、第一取付部２６３’及び第二取付部２６４’は全て同心の円環である。固定部２６１’と第一取付部２６３’とは一体的に形成される。固定装置２６’は、第一取付部２６３’の円周方向に沿って等間隔に且つ径方向外側に向けて突設される複数のリブ２６５’をさらに備える。第二取付部２６４’は複数のリブ２６５’によって第一取付部２６３’に接続される。
【００１７】
図８は、本考案の第四実施形態に係る発光ダイオードランプ１０４の１つの発光面を示す図である。カバー２２の表面には、規則的な又は不規則的な形の区域２２１が形成される。カバー２２に対面するように配列される発光ダイオード２４４が発光する際、カバー２２の表面には、複数の区域２２１に対応して規則的な又は規則的でない形の複数のスポットが形成される。
【００１８】
第四実施形態において、カバー２２の表面には、特定の規則的な又は不規則的な形の直線２２２がエッチングされている。複数の直線２２２で囲まれることによって複数の区域２２１を形成し、且つ各々の区域２２１で膜を貼り付けてカラー区域を形成する。他の実施形態において、カバー２２は規則的な又は不規則的な形の複数のカラーガラスから組み合わせることによって複数のカラー区域２２１を形成する。使用する際、駆動装置２５によって駆動した後発光ダイオードランプ１０４から出射された白色光は、カバー２２のカラー区域２２１を透過した後、カラフルな多色光に変化する。
【００１９】
他の実施形態において、カバー２２に対面するように配列された発光ダイオード２４４は、特定の規則的な又は不規則的な形の複数のグループに分配される。各々のグループは、特定の色のカラー発光ダイオードであり、各々のグループの発光ダイオードが通電すると、発光ダイオードから出射された特定の色の光は、透明のカバー２２を透過した後、クリスタルクリアの発光ダイオードとして視認される。他の実施形態において、カバー２２に対面するように配列された発光ダイオード２４４は、特定の規則的な又は不規則的な形の複数のグループに分配される。カバー２２と基盤２３４との間（即ち、発光ダイオード２４４から出射された光線の光路）には、導光部材２７（図９参照）又はレンズ２８（図１０参照）が各々のグループの発光ダイオードに対応して設置されている。隣接する導光部材２７又はレンズ２８の接続箇所には、規則的な又は不規則的な形の直線２２２が形成される。複数の直線２２２で囲まれることによって複数の区域２２１を形成する。使用する際、駆動装置２５は、それぞれ各々の発光ダイオード２４４を直接的に駆動して対応する色の光を出射する。各々の発光ダイオード２４４から出射された光は、導光部材２７又はレンズ２８を経た後カバー２２の対応する区域２２１に出射される。これにより、発光ダイオードランプ１０４の発光面には、複数のカラースポットが形成されている。ここで、発光ダイオード２４４はカラー発光ダイオードである。各々のグループの発光ダイオードは、少なくとも１つの発光ダイオード２４４を備える。これにより、発光ダイオードランプ１０４において、複雑の駆動電路を設計する必要がなく、発光ダイオード２４４の配列又は発光ダイオードランプ１０４のカバー２２を変更することによってカラフルな効果を生じることができる。
【００２０】
図１１は、本考案の第五実施形態に係る発光ダイオードランプを示す図である。第五実施形態が図２に示した第一実施形態と異なる部分は、発光ダイオードランプ１０５の接続部３０’は、平板状である。例えば、ＧＸ５３口金を採用する。他の実施形態において、接続部３０’はフック口などのような他の通用ランプホルダーに対応する接続部を採用することができる。
【００２１】
発光ダイオードランプは、着脱自在な接続部を備えるため、ランプ本体は異なる接続部に装着されることによって屋内ランプ、装飾ランプなどのような領域に広く応用され、既存のランプホルダー及び電力供給装置を換える必要がない。また、接続部が傷ついても、接続部を換えるだけで、発光ダイオードランプを換える必要がないため、不要な出費を減少させる。透明のカバーを採用するため、クリスタルクリアの発光ダイオードが表れて、カラフルな効果を生じる。これにより、気分照明の装飾に対して需要を満たし且つ人々の視覚を豊かになる。
【００２２】
以上、本考案を実施形態に基づいて具体的に説明したが、本考案は、上述の実施形態に限定されるものではなく、その要旨を逸脱しない範囲において、種々の変更が可能であることは勿論であって、本考案の保護範囲は、以下の実用新案登録請求の範囲から決まる。
【符号の説明】
【００２３】
２０  ランプ本体
２１  ハウジング
２２  カバー
２５  駆動装置
２６、２６’  固定装置
３０、３０’  接続部
４１、４２、４３  ネジ
１０１、１０２、１０３、１０４、１０５  発光ダイオードランプ
２２１  区域
２２２  直線
２３１、２３２、２３３  基盤
２４１、２４２、２４３、２４４  発光ダイオード
２６１、２６１’  固定部
２６２  爪部
２６３’  第一取付部
２６４’  第二取付部
２６５’  リブ
３０１  口金
３０２  半田
２４３１  光線
【図１】
0003182116.tif 000003
【図２】
0003182116.tif 000004
【図３】
0003182116.tif 000005
【図４】
0003182116.tif 000006
【図５】
0003182116.tif 000007
【図６】
0003182116.tif 000008
【図７】
0003182116.tif 000009
【図８】
0003182116.tif 000010
【図９】
0003182116.tif 000011
【図１０】
0003182116.tif 000012
【図１１】
0003182116.tif 000013